(57)【特許請求の範囲】
【請求項１】
駆動源と、前記駆動源によって駆動される駆動部材と、前記駆動部材に連動して、使用状態と収納状態との間で移動する発光部と、を有する撮像装置であって、
前記駆動部材には、前記発光部と係合して、前記撮像装置が撮像可能状態となっているときに、前記発光部を前記使用状態にするとともに、前記撮像装置が撮像不能状態となっているときに、前記発光部を前記収納状態にする第１のカムが形成されており、
前記駆動部材には、前記撮像装置が前記撮像可能状態となっているときに、手動操作によって、前記発光部を前記使用状態から前記収納状態に移動させた場合に、前記発光部と係合する第２のカムが形成されており、
前記撮像装置が前記撮像可能状態となっているときに、手動操作によって、前記発光部を前記使用状態から前記収納状態に移動させた場合には、前記発光部と前記第１のカムとの係合が解除され、前記発光部と前記第２のカムとが係合するものであり、
前記第１のカムには、前記発光部と前記第１のカムとが係合し、かつ前記撮像装置が前記撮像可能状態となっているときに、前記発光部が位置する領域の前記第２のカム側の端面に前記第２のカムに向けて傾斜している第１の傾斜面が形成されており、
前記第２のカムには、前記発光部と前記第２のカムとが係合し、かつ前記撮像装置が前記撮像可能状態となっているときに、前記発光部が位置する領域の前記第１のカム側の端面に前記第１のカムに向けて傾斜している第２の傾斜面が形成されていることを特徴とする撮像装置。
【請求項２】
前記駆動部材には、前記撮像装置が前記撮像不能状態となっているときに、手動操作によって、前記発光部を前記収納状態から前記使用状態に移動させた場合に、前記発光部と係合する第３のカムが形成され、
前記撮像装置が前記撮像不能状態となっているときに、手動操作によって、前記発光部を前記収納状態から前記使用状態に移動させた場合には、前記発光部と前記第１のカムとの係合が解除され、前記発光部と前記第３のカムとの係合するものであり、
前記第１のカムには、前記発光部と前記第１のカムとが係合し、かつ前記撮像装置が前記撮像不能状態となっているときに、前記発光部が位置する領域の前記第３のカム側の端面に前記第３のカムに向けて傾斜している第３の傾斜面を形成が形成されており、
前記第３のカムには、前記発光部と前記第３のカムとが係合し、かつ前記撮像装置が前記撮像不能状態となっているときに、前記発光部が位置する領域の前記第１のカム側の端面に前記第１のカムに向けて傾斜している第４の傾斜面が形成されていることを特徴とする請求項１に記載の撮像装置。
【請求項３】
駆動源と、前記駆動源によって駆動される駆動部材と、前記駆動部材に連動して、使用状態と収納状態との間で移動する発光部と、を有する撮像装置であって、
前記駆動部材には、前記発光部と係合して、前記撮像装置が撮像可能状態となっているときに、前記発光部を前記使用状態にするとともに、前記撮像装置が撮像不能状態となっているときに、前記発光部を前記収納状態にする第１のカムが形成されており、
前記駆動部材には、前記撮像装置が前記撮像可能状態となっているときに、手動操作によって、前記発光部を前記使用状態から前記収納状態に移動させた場合に、前記発光部と係合する第２のカムが形成されており、
前記撮像装置が前記撮像可能状態となっているときに、手動操作によって、前記発光部を前記使用状態から前記収納状態に移動させた場合には、前記発光部と前記第１のカムとの係合が解除され、前記発光部と前記第２のカムとの係合するものであり、
前記発光部と前記第１のカムとが係合し、かつ前記撮像装置が前記撮像可能状態となっているときに、前記発光部が位置する領域と、前記発光部と前記第２のカムとが係合し、かつ前記撮像装置が前記撮像可能状態となっているときに、前記発光部が位置する領域とをつなぐ第１の連結カムが形成されていることを特徴とする撮像装置。
【請求項４】
前記駆動部材には、前記撮像装置が前記撮像不能状態となっているときに、手動操作によって、前記発光部を前記収納状態から前記使用状態に移動させた場合に、前記発光部と係合する第３のカムが形成され、
前記撮像装置が前記撮像不能状態となっているときに、手動操作によって、前記発光部を前記収納状態から前記使用状態に移動させた場合には、前記発光部と前記第１のカムとの係合が解除され、前記発光部と前記第３のカムとの係合するものであり、
前記発光部と前記第１のカムとが係合し、かつ前記撮像装置が前記撮像不能状態となっているときに、前記発光部が位置する領域と、前記発光部と前記第３のカムとが係合し、かつ前記撮像装置が前記撮像不能状態となっているときに、前記発光部が位置する領域とをつなぐ第２の連結カムが形成されていることを特徴とする請求項３に記載の撮像装置。
【請求項５】
前記第２のカムは、前記発光部と係合し、前記発光部を前記収納状態のまま、前記撮像装置を前記撮像可能状態から前記撮像不能状態とすることを特徴とする請求項１ないし４のいずれか１項に記載の撮像装置。
【請求項６】
前記第３のカムは、前記発光部と係合し、前記発光部を前記使用状態のまま、前記撮像装置を前記撮像不能状態から前記撮像可能状態とすることを特徴とする請求項２または４に記載の撮像装置。
【請求項７】
前記撮像装置は沈胴状態と繰り出し状態との間で移動するレンズ鏡筒を有し、
前記レンズ鏡筒が前記沈胴状態となっているとき、前記撮像装置は前記撮像不能状態となっており、前記レンズ鏡筒が前記繰り出し状態となっているとき、前記撮像装置は前記撮像可能状態となっていることを特徴とする請求項１ないし６のいずれか１項に記載の撮像装置。
【発明の詳細な説明】
【技術分野】
【０００１】
本発明は、使用状態と収納状態との間で移動する発光部を有する撮像装置に関するものである。
【背景技術】
【０００２】
従来、この種の撮像装置において、発光ユニットは電源オフ時などの撮像不能状態では収納状態となり、電源オン時などの撮像可能状態では、撮像装置本体から突出した使用状態となる。
【０００３】
特許文献１には、レンズ鏡筒の沈胴位置からの繰り出し動作、および沈胴位置への繰り込み動作に連動し、発光ユニットを使用状態と収納状態との間で移動させる撮像装置が開示されている。
【先行技術文献】
【特許文献】
【０００４】
【特許文献１】特開平０７−１９９２９５号公報
【発明の概要】
【発明が解決しようとする課題】
【０００５】
従来の撮像装置では、撮像可能状態となるレンズ鏡筒が繰り出した状態では発光ユニットは常に突出した使用状態となり、撮像不能状態となるレンズ鏡筒が沈胴状態では常に収納状態となる。
【０００６】
本出願人は、先の出願にて、撮像可能状態にて使用状態となった発光ユニットを手動で収納状態とすることができるとともに、発光ユニットを収納状態としたまま、撮像装置を撮像不能状態とすることの可能な撮像装置を提案した。
【０００７】
本出願人の先の出願では、レンズ鏡筒が繰り出し状態にあるときに、手動操作によって発光部を移動させることで、発光部が係合するカムを切り換えることが記載されている。しかしながら、発光部が係合するカムを切り換えるときに、カム係合を解除しなければならないので、発光部を手動操作するために必要な操作力が大きくなってしまう。
【０００８】
本発明は、先の出願の構成において、発光部が係合するカムを切り換える際に必要な力を低減し、わずかな力であっても、発光部が係合するカムを切り換えることが可能な撮像装置を提供することを目的とする。
【課題を解決するための手段】
【０００９】
本発明の撮像装置は、駆動源と、前記駆動源によって駆動される駆動部材と、前記駆動部材に連動して、使用状態と収納状態との間で移動する発光部と、を有する撮像装置であって、前記駆動部材には、前記発光部と係合して、前記撮像装置が撮像可能状態となっているときに、前記発光部を前記使用状態にするとともに、前記撮像装置が撮像不能状態となっているときに、前記発光部を前記収納状態にする第１のカムが形成されており、前記駆動部材には、前記撮像装置が前記撮像可能状態となっているときに、手動操作によって、前記発光部を前記使用状態から前記収納状態に移動させた場合に、前記発光部と係合する第２のカムが形成されており、前記撮像装置が前記撮像可能状態となっているときに、手動操作によって、前記発光部を前記使用状態から前記収納状態に移動させた場合には、前記発光部と前記第１のカムとの係合が解除され、前記発光部と前記第２のカムとが係合するものであり、前記第１のカムには、前記発光部と前記第１のカムとが係合し、かつ前記撮像装置が前記撮像可能状態となっているときに、前記発光部が位置する領域の前記第２のカム側の端面に前記第２のカムに向けて傾斜している第１の傾斜面が形成されており、前記第２のカムには、前記発光部と前記第２のカムとが係合し、かつ前記撮像装置が前記撮像可能状態となっているときに、前記発光部が位置する領域の前記第１のカム側の端面に前記第１のカムに向けて傾斜している第２の傾斜面が形成されていることを特徴とする。
【発明の効果】
【００１０】
本発明によれば、発光部が係合するカムを切り換える際に必要な力を低減し、わずかな力であっても、発光部が係合するカムを切り換えることが可能な撮像装置を提供することができる。
【図面の簡単な説明】
【００１１】
【図１】本発明の第１の実施例であるデジタルカメラの外観斜視図である。
【図２】レンズ鏡筒ユニットの分解斜視図である。
【図３】レンズ鏡筒ユニットを説明する図である。
【図４】発光ユニットの分解斜視図である。
【図５】発光部を説明する図である。
【図６】発光部が使用状態と収納状態との間で移動する動作を説明する図である。
【図７】駆動環３０に形成される３つのカム形状を説明する図である。
【図８】発光部の動作を説明する図である。
【図９】発光部が手動操作される際の動作を説明する図である。
【図１０】第２の実施例であるデジタルカメラの駆動環３０’の形状を説明する図である。
【発明を実施するための形態】
【００１２】
（第１の実施例）
以下、本発明の第１の実施例について、図１〜９を参照しながら詳細に説明する。
【００１３】
図１は本発明を実施した撮像装置としてのデジタルカメラを説明するものであって、本実施例のデジタルカメラの４つの状態を説明する図である。図１（ａ）は、撮像不能状態の一例である電源オフ状態を示している。この状態ではレンズ鏡筒ユニットＬは沈胴状態となり、発光ユニット１は収納状態となる。図１（ｂ）は、撮像可能状態の一例である電源オン状態を示している。この状態ではレンズ鏡筒ユニットＬは繰り出し状態となり、発光ユニット１は使用状態となる。図１（ｃ）は、図１（ｂ）に示す状態から、発光ユニット１を手動操作によって使用状態から収納状態に移動させた状態を示している。この状態ではレンズ鏡筒ユニットＬは繰り出し状態となり、発光ユニット１は収納状態となる。図１（ｄ）は、図１（ａ）に示す状態から、発光ユニット１を手動操作によって収納状態から使用状態に移動させた状態を示している。この状態ではレンズ鏡筒ユニットＬは沈胴状態となり、発光ユニット１は使用状態となる。
【００１４】
本実施例のデジタルカメラは図１（ｂ）の状態から手動操作によって、図１（ｃ）の状態とすることができる。そして、図１（ｃ）の状態で電源をオフしたときに、発光部Ｓは収納状態のまま、図１（ａ）の状態となる。また、本実施例のデジタルカメラは図１（ａ）の状態から図１（ｄ）の状態とすることができる。そして、図１（ｄ）の状態で電源をオンしたときに、発光部Ｓは使用状態のまま、図１（ｂ）の状態となる。
【００１５】
図２はデジタルカメラのレンズ鏡筒ユニットＬの分解斜視図である。
レンズ鏡筒ユニットＬは、１群レンズ、２群レンズおよび不図示の３群レンズから構成される。１群レンズは１群レンズホルダ１０に保持され、２群レンズは２群レンズホルダ１１に保持される。直進案内板１２には、１群レンズホルダ１０を光軸方向へ移動可能に支持する１群案内棒１３が形成されている。１群案内棒１３は、１群レンズホルダ１０の内面に形成された光軸方向へ延びる不図示の溝に係合している。同様に、直進案内板１２には、２群レンズホルダ１１を光軸方向へ移動可能に支持する２群案内棒１５が一体的に形成されている。２群案内棒１５は２群レンズホルダ１１の外周部に設けられた２群直進穴１４に係合し、２群レンズホルダ１１を光軸方向へ移動可能に支持する。
【００１６】
したがって、直進案内板１２に形成される１群案内棒１３および２群案内棒１５によって、１群レンズホルダ１０および２群レンズホルダ１１は光軸方向へ移動を案内される。また、直進案内板１２のフランジ部の外縁部には複数の突起１６が形成されている。突起１６が固定カム環１７の内面に設けられた光軸方向へ伸びる複数の溝１８にそれぞれ係合することにより、直進案内板１２は光軸方向へ移動可能に支持される。
【００１７】
移動カム環１９の外周面には、外周面を３等分するようにカムフォロワー２０が形成される。カムフォロワー２０は固定カム環１７の内面に形成された同形状の３本のカム２１にそれぞれカム係合する。これによって、移動カム環１９の回転に伴いカムフォロワー２０はカム２１をトレースし、移動カム環１９は回転しながら光軸方向に移動する。
【００１８】
さらに、移動カム環１９の内周面後端部に設けられた係合溝２２に、直進案内板１２のフック２３が係合することによって、直進案内板１２は移動カム環１９に対して回転可能に係合する。これにより、移動カム環１９の光軸方向への移動にともない、直進案内板１２もともに光軸方向へ移動する。
【００１９】
１群レンズホルダ１０の外周面部には、外周面を３等分するように１群カムフォロワー２４が形成される。１群カムフォロワー２４は移動カム環１９の内周面に設けられた同形状の３本の１群カム２５にそれぞれカム係合する。これによって、移動カム環１９の回転に伴って１群カムフォロワー２４は１群カム２５をトレースする。また、１群レンズホルダ１０は光軸方向へ移動するよう案内されているので、１群レンズホルダ１０は移動カム環１９の回転に伴って１群カム２５の光軸方向への変位量に合わせて移動する。
【００２０】
２群レンズホルダ１１の外周面部には、外周面を３等分するように２群カムフォロワー２６が形成される。２群カムフォロワー２６は、移動カム環１９の内周面に設けられた同形状の３本の２群カム２７にそれぞれカム係合する。これによって、移動カム環１９の回転に伴って２群カムフォロワー２６は２群カム２７をトレースする。また、２群レンズホルダ１１は光軸方向へ移動するよう案内されているので、２群レンズホルダ１１は移動カム環１９の回転に伴って２群カム２７の光軸方向への変位量に合わせて移動する。
【００２１】
移動カム環１９の外周面には、外周面を３等分するように駆動ピン２８が形成される。駆動ピン２８は固定カム環１７の内周面から外周面に貫通するカム穴２９を貫通して固定カム環１７の外周面から突出する。カム２１とカム穴２９は同形状であり、移動カム環１９の固定カム環１７に対する回転繰り出し移動に対して、駆動ピン２８はカム穴２９をトレースしてカム環１７から突出した状態を維持する。
【００２２】
駆動部材としての駆動環３０は固定カム環１７の外周面に嵌合して回転自在に支持される。駆動環３０の内周面には、光軸方向へ伸びる溝３１が３等分にするように配置され、溝３１に駆動ピン２８がそれぞれ係合する。これにより、駆動環３０の回転が溝３１と駆動ピン２８を介して移動カム環１９へと伝達される。
【００２３】
このように、１群レンズホルダ１０、２群レンズホルダ１１、直進案内板１２、固定カム環１７、移動カム環１９および駆動環３０は一体となり、それぞれが連携して動作する。そしてこの一体となった部品は鏡筒ベース３２へと組み込まれる。さらに、撮像素子を保持する撮像素子ホルダ３３が鏡筒ベース３２とともに固定カム環１７のフランジ部分を挟み込むように固定される。
【００２４】
レンズ鏡筒ユニットＬの駆動源４４は電力を動力へと変換する電磁モーターである。駆動源４４の動力はギア列４５を介して駆動環３０の外周面に形成された駆動環ギア４６へと伝達される。これにより、駆動源４４への通電によって駆動環３０を回転させることができる。
【００２５】
鏡筒ベース３２は駆動源４４およびギア列４５を保持するとともに、移動部材としてのスライダ３７を光軸方向に移動可能に保持する。スライダ３７は鏡筒ベース３２に保持されたスライダシャフト３８に案内されることで、鏡筒ベース３２上において、光軸方向へ移動可能となっている。スライダ３７には、スライダ３７の内部に進退可能なフォロワーとしてのストロボフォロワー３９が形成され、ストロボフォロワー３９は圧縮ばね４０によってスライダ３７から突出する方向に付勢されている。
【００２６】
駆動環３０の外周面には、ストロボフォロワー３９と係合可能な第１のストロボカム３０ａ、第２のストロボカム３０ｂおよび第３のストロボカム３０ｃが形成されている。ストロボフォロワー３９が第１のストロボカム３０ａと係合する場合には、駆動環３０が回転することによって、スライダ３７は鏡筒ベース３２上で光軸方向に移動する。
【００２７】
図３は、レンズ鏡筒ユニットＬを説明する図である。図３（ａ）はレンズ鏡筒ユニットＬの外観斜視図である。図３（ａ）の状態ではレンズ鏡筒ユニットＬは繰り出し状態としてのワイド状態となっている。図３（ｂ）は図３（ａ）の状態におけるレンズ鏡筒ユニットＬの外観正面図である。図３（ｃ）はレンズ鏡筒ユニットＬの図３（ｂ）におけるＡ−Ａ断面図である。
【００２８】
図３（ａ）に示すように、スライダ３７にはＵ字部３７ａが形成され、後述するストロボホルダー４０８から突出形成される突起４０８ｂを挟み込む。図３（ｃ）に示すように、スライダ３７には、スライダ３７をスライダシャフト３８に支持した状態で、駆動環３０の外周面に対して略垂直となる穴部が形成され、この穴部にストロボフォロワー３９および圧縮ばね４０が挿入されている。図３（ｃ）の状態では、ストロボフォロワー３９は第１のストロボカム３０ａと係合している。
【００２９】
図４はデジタルカメラの発光ユニット１の分解斜視図である。
図４（ａ）は、発光ユニット１の分解斜視図で、４０１は、キセノン管であり、リード線４０２によって、図４（ｂ）に示すフレキシブル配線基板４０３と電気的に接続される。フレキシブル配線基板４０３は発光制御を行うストロボ基板４０４と電気的に接続されている。反射笠４０５はキセノン管４０１からの光を集光させる。キセノン管ゴム４０６はキセノン管４０１の端子部の絶縁を行うとともに、キセノン管４０１を反射笠４０５側へ付勢する。プリズムパネル４０７はキセノン管４０１と反射笠４０５からの光を所望の範囲に照射する。
【００３０】
キセノン管４０１、反射笠４０５、キセノン管ゴム４０６およびプリズムパネル４０７をストロボホルダー４０８に配置した後、ストロボカバー２をストロボホルダー４０８にビスによって固定することで、発光ユニット１は組み立てられる。
【００３１】
図４（ｂ）は、発光ユニット１が使用状態と収納状態との間で移動するように保持する構造を説明する図である。
【００３２】
発光ユニット１は、ストロボシャフト３０２によってストロボベース３０１に対して回動可能に支持される。ストロボホルダー４０８には、トグルばね４０９の一端を引っ掛ける軸４１０が圧入されている。トグルばね４０９の他端はストロボベース３０１に備える軸３０１ａに引っ掛けられる。トグルばね４０９は、ストロボシャフト３０２を回動中心に発光ユニット１を使用状態および収納状態に付勢する付勢部材として機能する。
【００３３】
フレキシブル配線基板４０３、ストロボ基板４０４およびストロボコンデンサー４１２は取り付け部材４１１に取り付けられる。ストロボベース３０１もビスによって取り付け部材４１１に取り付けられる。
【００３４】
フレキシブル配線基板４０３には、レバー式検知スイッチ４０３ａが実装され、発光ユニット１が使用状態であるのか、収納位置であるのかを検知する。レバー式検知スイッチ４０３ａは取り付け部材４１１に備える穴４１１ａからレバー部分が突出するように配置される。したがって、発光ユニット１が収納状態となるときには、ストロボホルダー４０８の突起４０８ａが検知スイッチ４０３ａのレバー部分を押し込む。一方、発光ユニット１が使用状態となるときには、突起４０８ａは検知スイッチ４０３ａのレバー部分に接触しない。検知スイッチ４０３ａによって発光ユニット１が使用状態であると検知するときのみ、デジタルカメラは発光ユニット１を発光させる制御を行う。
【００３５】
図５はデジタルカメラの発光部を説明する図である。本実施例では、発光ユニット１およびスライダ３７をあわせて発光部という。
【００３６】
図５では、鏡筒ベース３２、取り付け部材４１１などを省略している。上述したように、駆動環３０が回転すると、ストロボフォロワー３９が第１のストロボカム３０ａをトレースして、スライダ３７は光軸方向に移動する。そして、発光ユニット１は、ストロボベース３０１に対して回動可能に支持される。図５に示すように、ストロボホルダー４０８から突出形成される突起４０８ｂがスライダ３７に形成されるＵ字部３７ａに入り込む。したがって、スライダ３７が光軸方向に移動することで、Ｕ字部３７ａの壁３７ａ１または壁３７ａ２が突起４０８ｂを押し込むことで、発光ユニット１は収納状態と使用状態との間を移動する。
【００３７】
図６は発光部が使用状態と収納状態との間で移動する動作を説明する図である。
図６（ａ）は発光ユニット１を収納した収納状態を示している。図６（ａ）に示すように、この状態では突起４０８ｂはＵ字部３７ａのいずれの壁とも当接していないが、発光ユニット１はトグルばね４０９によって、収納状態となる方向に付勢されているので、発光ユニット１は収納状態を保持できる。
【００３８】
図６（ｂ）は図６（ａ）の状態からスライダ３７が矢印Ｑ方向に移動した状態を示している。この状態で、Ｕ字部３７ａの壁３７ａ２が突起４０８ｂと当接し、トグルばね４０９の付勢力に抗して、発光ユニット１を使用状態へ移動させる。
【００３９】
図６（ｂ）の状態からスライダ３７がトグルばね４０９の付勢力の方向が反転する地点まで発光ユニット１を移動させると、トグルばね４０９の付勢方向が反転して、発光ユニット１は使用状態の方向に付勢される。図６（ｃ）は発光ユニット１が使用状態となった様子を示している。このとき、突起４０８ｂはＵ字部３７ａのいずれの壁とも当接していないが、発光ユニット１はトグルばね４０９によって、使用状態となる方向に付勢されているので、発光ユニット１は使用状態を保持できる。
【００４０】
このように、スライダ３７を光軸方向に移動させることによって、発光ユニット１は収納状態から使用状態へ移動する。発光ユニット１を使用状態から収納状態へ移動する場合には、図６（ｃ）の状態からスライダ３７を図中の左方向に移動させればよい。
【００４１】
図７は駆動環３０に形成される３つのカム形状を説明する図である。
図７（ａ）は、駆動環３０の正面図および側面図である。図７（ｂ）は、図７（ａ）のＢ−Ｂ断面図である。図７（ｃ）は、駆動環３０を展開し、第１のストロボカム３０ａ、第２のストロボカム３０ｂおよび第３のストロボカム３０ｃが形成される部分を拡大した図である。
【００４２】
図８は発光部の動作を説明する図である。
図８（ａ）は、本実施例のデジタルカメラが図１（ａ）の状態となるときの発光部の状態を示している。図８（ｂ）は、本実施例のデジタルカメラが図１（ｂ）の状態となるときの発光部の状態を示している。図８（ｃ）は、本実施例のデジタルカメラが図１（ｃ）の状態となるときの発光部の状態を示している。図８（ｄ）は、本実施例のデジタルカメラが図１（ｄ）の状態となるときの発光部の状態を示している。
【００４３】
図７（ａ）〜（ｃ）に示すように、駆動環３０には第１のカムとしての第１のストロボカム３０ａ、第２のカムとしての第２のストロボカム３０ｂおよび第３のカムとしての第３のストロボカム３０ｃが形成されている。第１のストロボカム３０ａは、レンズ鏡筒ユニットＬが沈胴状態から繰り出し状態となるときに、発光ユニット１を収納状態から使用状態にするカムである。また、第１のストロボカム３０ａは、レンズ鏡筒ユニットＬが繰り出し状態から沈胴状態となるときに、発光ユニット１を使用状態から収納状態にするカムである。したがって、発光部が図８（ａ）に示す状態と図８（ｂ）に示す状態との間で変化するとき、スライダ３７のストロボフォロワー３９は第１のストロボカム３０ａをトレースする。
【００４４】
第２のストロボカム３０ｂは、レンズ鏡筒ユニットＬが繰り出し状態で、発光ユニット１が収納状態となったときに、発光ユニット１が収納状態のまま、レンズ鏡筒ユニットＬを繰り出し状態から沈胴状態にするカムである。また、第２のストロボカム３０ｂは、レンズ鏡筒ユニットＬが沈胴状態から繰り出し状態となるときに、発光ユニット１を押さえ込んで収納状態のまま、レンズ鏡筒ユニットＬを沈胴状態から繰り出し状態にするカムである。したがって、発光部が図８（ｃ）に示す状態と図８（ａ）に示す状態との間で変化するとき、スライダ３７のストロボフォロワー３９は第２のストロボカム３０ｂをトレースする。
【００４５】
第３のストロボカム３０ｃは、レンズ鏡筒ユニットＬが沈胴状態で、発光ユニット１が使用状態となったときに、発光ユニット１が使用状態のまま、レンズ鏡筒ユニットＬを沈胴状態から繰り出し状態にするカムである。また、第３のストロボカム３０ｃは、レンズ鏡筒ユニットＬが繰り出し状態から沈胴状態となるときに、発光ユニット１を押さえ込んで使用状態のまま、レンズ鏡筒ユニットＬを繰り出し状態から沈胴状態にするカムである。したがって、発光部が図８（ｂ）に示す状態と図８（ｄ）に示す状態との間で変化するとき、スライダ３７のストロボフォロワー３９は第３のストロボカム３０ｃをトレースする。
【００４６】
図７（ｃ）において、図８（ａ）に示すレンズ鏡筒ユニットＬが沈胴状態となり、発光ユニット１が収納状態となるとき、スライダ３７のストロボフォロワー３９はポジション３０ａ１に位置する。図８（ｂ）に示すレンズ鏡筒ユニットＬが繰り出し状態としてのワイド状態となり、発光ユニット１が使用状態となるとき、スライダ３７のストロボフォロワー３９はポジション３０ａ２に位置する。レンズ鏡筒ユニットＬが繰り出し状態としてのテレ状態となり、発光ユニット１が使用状態となるとき、スライダ３７のストロボフォロワー３９はポジション３０ａ３に位置する。第１のストロボカム３０ａは、ポジション３０ａ１とポジション３０ａ２との間で発光ユニット１を収納状態と使用状態との間で移動させ、ポジション３０ａ２とポジション３０ａ３との間ではカムリフトがほぼ０となるように設定される。
【００４７】
図８（ｂ）に示すように、スライダ３７のストロボフォロワー３９がポジション３０ａ２に位置するときに、発光ユニット１を手動操作によって収納状態とすると、図８（ｃ）に示す状態になる。このとき、ストロボフォロワー３９は第１のストロボカム３０ａとの係合を解除して、ポジション３０ｂ２にて第２のストロボカム３０ｂと係合する。
【００４８】
ポジション３０ａ２における第１のストロボカム３０ａの第２のストロボカム３０ｂ側の端面には、第２のストロボカム３０ｂに向けて傾斜した第１の傾斜面３０ａｂが形成されている。すなわち、レンズ鏡筒ユニットをワイド状態としたとき、第１のカム上で発光部が位置するポジションの第２のカム側の端面に、前記第２のカムに向けて傾斜する第１の傾斜面が形成されることになる。
【００４９】
また、ポジション３０ｂ２における第２のストロボカム３０ｂの第１のストロボカム３０ａ側の端面には、第１のストロボカム３０ａに向けて傾斜した第２の傾斜面３０ｂａが形成されている。すなわち、レンズ鏡筒ユニットをワイド状態としたとき、第２のカム上で前記発光部が位置するポジションの第１のカム側の端面に、第１のカムに向けて傾斜する第２の傾斜面が形成されることになる。
【００５０】
発光ユニット１を手動操作によって収納状態とすることで、図８（ｂ）に示す状態から図８（ｃ）に示す状態とする。このとき、第１の傾斜面３０ａｂが形成されていることによって、ストロボフォロワー３９と第１のストロボカム３０ａとの係合を解除ために必要な力を小さくすることができる。そして、第２の傾斜面３０ｂａが形成されていることによって、ストロボフォロワー３９はスムーズに第２のストロボカム３０ｂとの係合する。
【００５１】
ストロボフォロワー３９がポジション３０ａ３に位置するときに、発光ユニット１を手動操作によって収納状態とすると、ストロボフォロワー３９は第１のストロボカム３０ａとの係合を解除する。そして、ストロボフォロワー３９はポジション３０ｂ３にて第２のストロボカム３０ｂと係合する。
【００５２】
本実施例のデジタルカメラでは、電源をオンすることで、レンズ鏡筒ユニットＬが沈胴状態からワイド状態となる。よって、レンズ鏡筒ユニットＬがワイド状態となるときに、発光ユニット１の手動操作が行われることが多いだろうという考えで、第１の傾斜面３０ａｂおよび第２の傾斜面３０ｂａを形成している。
【００５３】
本実施例では、第１のストロボカム３０ａのポジション３０ａ３および第２のストロボカム３０ｂのポジション３０ｂ３には傾斜面は形成していないが、この部分にも同様に傾斜面を形成することは可能である。また、第１のストロボカム３０ａのポジション３０ａ２からポジション３０ａ３までの全域および第２のストロボカム３０ｂのポジション３０ｂ２からポジション３０ｂ３までの全域に傾斜面を形成することも可能である。
【００５４】
図９は発光部が手動操作される際の動作を説明する図である。図９（ａ）は、スライダ３７のストロボフォロワー３９がポジション３０ａ２に位置する状態を示している。この状態で発光ユニット１を手動操作によって収納されると、図９（ｂ）に示すように、スライダ３７に矢印Ｆ１方向の力が作用し、ストロボフォロワー３９が圧縮ばね４０の付勢力に抗して、スライダ３７の内部に退避する。このとき、第１の傾斜面３０ａｂが形成されていることによって、スライダ３７を矢印Ｆ１方向に移動させる際に、ストロボフォロワー３９がトレースする部分の勾配を緩やかにすることができる。すなわち、長い距離を使って圧縮ばね４０をチャージすることができるので、ストロボフォロワー３９と第１のストロボカム３０ａとの係合を解除するときに、大きな手動操作力を必要とすることがない。
【００５５】
これによって、ストロボフォロワー３９は第１のストロボカム３０ａとの係合を解除して、スライダ３７は矢印Ｆ１方向に移動する。そして、第２のストロボカム３０ｂに第２の傾斜面３０ｂａが形成されていることによって、ストロボフォロワー３９と第２のストロボカム３０ｂとの係合をガイドすることができる。すなわち、ストロボフォロワー３９が第２の傾斜面３０ｂａに当接する状態となると、ストロボフォロワー３９が圧縮ばね４０の付勢力によって、第２のストロボカム３０ｂに挿入される。このとき、ストロボフォロワー３９の先端が第２のストロボカム３０ｂに挿入される際に、ストロボフォロワー３９の先端が第２の傾斜面３０ｂａおよび第２のストロボカム３０ｂの斜面を滑り落ちることとなるので、矢印Ｆ１方向の力がスライダ３７に作用する。そして、図９（ｃ）に示すように、第２のストロボカム３０ｂと係合する。
【００５６】
ストロボフォロワー３９が第２のストロボカム３０ｂと係合するときに、レンズ鏡筒ユニットＬが繰り出し状態から沈胴状態となると、ストロボフォロワー３９は図７（ｃ）に示す第２のストロボカム３０ｂの右端までトレースする。そして、ストロボフォロワー３９は第２のストロボカム３０ｂとの係合を解除して、図７（ｃ）の矢印Ｂ１方向に進み、第１のストロボカム３０ａと係合して、ポジション３０ａ１に位置する。
【００５７】
ストロボフォロワー３９がポジション３０ａ１に位置するとき、発光ユニット１を押さえ込んで収納状態のまま、レンズ鏡筒ユニットＬを沈胴状態からワイド状態にする。このとき、ストロボフォロワー３９は第１のストロボカム３０ａとの係合を解除して、図７（ｃ）の矢印Ｂ２方向に進む。そして、ストロボフォロワー３９は第２のストロボカム３０ｂと係合して、ポジション３０ｂ２に位置する。
【００５８】
図８（ａ）に示すように、ストロボフォロワー３９がポジション３０ａ１に位置するとき、発光ユニット１を手動操作によって使用状態とすると、図８（ｄ）に示す状態になる。このとき、ストロボフォロワー３９は第１のストロボカム３０ａとの係合を解除して、ポジション３０ｃ１にて第３のストロボカム３０ｃと係合する。
【００５９】
ポジション３０ａ１における第１のストロボカム３０ａの第３のストロボカム３０ｃ側の端面には、第３のストロボカム３０ｃに向けて傾斜した第３の傾斜面３０ａｃが形成されている。すなわち、レンズ鏡筒ユニットを沈胴状態としたとき、第１のカム上で発光部が位置するポジションの第３のカム側の端面に、第３のカムに向けて傾斜する第３の傾斜面が形成されることになる。
【００６０】
また、ポジション３０ｃ１における第３のストロボカム３０ｃの第１のストロボカム３０ａ側の端面には、第１のストロボカム３０ａに向けて傾斜した第４の傾斜面３０ｃａが形成されている。すなわち、レンズ鏡筒ユニットを沈胴状態としたとき、第３のカム上で発光部が位置するポジションの第１のカム側の端面に、第１のカムに向けて傾斜する第４の傾斜面が形成されることになる。
【００６１】
発光ユニット１を手動操作によって使用状態とすることで、図８（ａ）に示す状態から図８（ｄ）に示す状態とする。このとき、第３の傾斜面３０ａｃが形成されていることによって、ストロボフォロワー３９と第１のストロボカム３０ａとの係合を解除ために必要な力を小さくすることができる。そして、第４の傾斜面３０ｃａが形成されていることによって、ストロボフォロワー３９はスムーズに第２のストロボカム３０ｂとの係合する。
【００６２】
ストロボフォロワー３９がポジション３０ｃ１に位置するとき、レンズ鏡筒ユニットＬを沈胴状態からワイド状態にすると、ストロボフォロワー３９は第３のストロボカム３０ｃとの係合を解除して、矢印Ｃ１方向に進む。そして、ストロボフォロワー３９は第１のストロボカム３０ａと係合して、ポジション３０ａ２に位置する。
【００６３】
ストロボフォロワー３９がポジション３０ａ２に位置するとき、発光ユニット１を押さえ込んで使用状態のまま、レンズ鏡筒ユニットＬをワイド状態から沈胴状態にする。このとき、ストロボフォロワー３９は第１のストロボカム３０ａとの係合を解除して、図７（ｃ）の矢印Ｃ２方向に進む。そして、ストロボフォロワー３９は第３のストロボカム３０ｃと係合して、ポジション３０ｃ１に位置する。
【００６４】
本実施例では、第１のストロボカム３０ａと第２のストロボカム３０ｂとの間、第１のストロボカム３０ａと第３のストロボカム３０ｃとの間はそれぞれ連結されていない。例えば、第１のストロボカム３０ａと第２のストロボカム３０ｂとの間を連結すると、ストロボフォロワー３９がポジション３０ａ１に位置する状態からポジション３０ａ２に位置する状態にする際に、ポジション３０ｂ２に位置する状態となってしまう。すなわち、第１のストロボカム３０ａをトレースせず、第２のストロボカム３０ｂをトレースしてしまう。このようなことから、本実施例では、第１のストロボカム３０ａと第２のストロボカム３０ｂとの間、第１のストロボカム３０ａと第３のストロボカム３０ｃとの間を分離している。
【００６５】
以上、説明したように、本実施例のデジタルカメラによれば、撮像不能状態の一例である電源オフから撮像可能状態の一例である電源オン状態としたときに、発光部は収納状態から使用状態となる。そして、電源オン状態で発光部が使用状態となっているときに、手動操作によって使用状態から収納状態とすることができ、発光部を収納状態のまま、電源オフ状態とすることができる。さらに、電源オフ状態で発光部が収納状態となっているときに、手動操作によって収納状態から使用状態とすることができ、発光部を使用状態のまま、電源オン状態とすることができる。
【００６６】
したがって、レンズ鏡筒ユニットに連動させて、発光部を使用状態と収納状態との間で移動させるものでありながら、電源オン状態でも、電源オフ状態でも、手動操作によって発光部を使用状態と収納状態との間で移動させることも可能となる。さらに、手動操作によって発光部を移動させた後は、発光部はその状態のまま、デジタルカメラの電源をオンオフすることができる。すなわち、電源オン状態で発光部を手動操作によって収納し、電源をオフにした場合にも、次に電源をオンすれば、発光部は収納状態から使用状態となる。同様に、電源オフ状態で発光部を手動操作によって使用状態として、電源をオンにした後、電源をオフすれば、発光部は使用状態から収納状態となる。
【００６７】
さらに、第１のカムに第１の傾斜面を形成し、第２のカム３０ｂに第２の傾斜面を形成することで、レンズ鏡筒ユニットをワイド状態としたときに、発光部の手動操作に必要な操作力を小さくすることができる。第１のカムに第３の傾斜面を形成し、第３のカム３０ｂに第４の傾斜面を形成することで、レンズ鏡筒ユニットを沈胴状態としたときに、発光部の手動操作に必要な操作力を小さくすることができる。
【００６８】
（第２の実施例）
本発明の第２の実施例について、図１０を用いて説明する。第１の実施例と第２の実施例との差異は駆動環の形状のみであり、それ以外の部分は上述した第１の実施例と同様であるので、説明を省略する。第２の実施例であるデジタルカメラの駆動環３０’の形状を説明する図である。
【００６９】
上述した第１の実施例では、第１〜第４の傾斜面を形成することで、発光部を手動操作する際に必要な手動操作力を低減した。これに対して、第２の実施例では、図１０に示すように、駆動環３０’に、第１のストロボカム３０ａのポジション３０ａ２と第２のストロボカム３０ｂのポジション３０ｂ２との間を連結する第１の連結カム３０ｄを形成している。そして、第１のストロボカム３０ａのポジション３０ａ１と第３のストロボカム３０ｃのポジション３０ｃ１との間を連結する第２の連結カム３０ｅを形成している。
【００７０】
第１の連結カム３０ｄは、第１のストロボカム３０ａおよび第２のストロボカム３０ｂに対して直交するように、形成されている。第２の連結カム３０ｅは、第１のストロボカム３０ａおよび第３のストロボカム３０ｃに対して直交するように、形成されている。したがって、駆動環３０’を駆動して、ストロボフォロワー３９が第１のストロボカム３０ａをトレースさせるときに、ストロボフォロワー３９が第１の連結カム３０ｄまたは第２の連結カム３０ｅをトレースしてしまうことはない。同様に、駆動環３０’を駆動して、ストロボフォロワー３９が第２のストロボカム３０ｂをトレースさせるときに、ストロボフォロワー３９が第１の連結カム３０ｄをトレースすることもない。駆動環３０’を駆動して、ストロボフォロワー３９が第３のストロボカム３０ｃをトレースさせるときに、ストロボフォロワー３９が第２の連結カム３０ｅをトレースすることもない。
【００７１】
第２の実施例では、第１の連結カム３０ｄおよび第２の連結カム３０ｅが形成されることで、ストロボフォロワー３９がスライダ３７の内部に退避する必要がない。すなわち、レンズ鏡筒ユニットＬがワイド状態にあって、発光ユニット１を手動操作によって移動させる場合には、ストロボフォロワー３９の位置が第１の連結カム３０ｄを通って、第１のストロボカム３０ａと第２のストロボカム３０ｂとの間で切り換わる。レンズ鏡筒ユニットＬが沈胴状態にあるときには、発光ユニット１を手動操作することで、ストロボフォロワー３９の位置が第２の連結カム３０ｅを通って、第１のストロボカム３０ａと第３のストロボカム３０ｃとの間で切り換わる。
【００７２】
したがって、レンズ鏡筒ユニットＬが沈胴状態あるいはワイド状態となるときに限って、発光ユニット１の手動操作を可能とするのであれば、ストロボフォロワー３９はスライダ３７から突出形成させた突起で十分である。しかし、この場合には、ワイド状態以外の繰り出し状態では、発光ユニット１の手動操作ができなくなってしまう。本実施例では、ワイド状態以外の繰り出し状態でも、発光ユニット１の手動操作を可能にするために、ストロボフォロワー３９がスライダ３７の内部に退避する構成を採っている。つまり、ワイド状態以外の繰り出し状態であっても、発光ユニット１の手動操作は可能であるが、沈胴状態あるいはワイド状態における手動操作と比べて大きな手動操作力を必要とする。
【００７３】
本実施例のデジタルカメラでは、電源をオンすることで、レンズ鏡筒ユニットＬが沈胴状態からワイド状態となる。よって、レンズ鏡筒ユニットＬが沈胴状態あるいはワイド状態となるときに、発光ユニット１の手動操作が行われることが多いだろうという考えで、第１の連結カム３０ｄおよび第２の連結カム３０ｅを形成している。しかし、連結カムを形成する位置はこれに限定されるものではなく、例えば、レンズ鏡筒ユニットＬがテレ状態となる位置で、第１のストロボカム３０ａと第２のストロボカム３０ｂとを連結しても何ら問題ない。
【００７４】
以上、説明したように、本実施例のデジタルカメラによれば、第１の連結カムおよび第２の連結カムを形成することで、レンズ鏡筒ユニットをワイド状態または沈胴状態としたときに、発光部の手動操作に必要な操作力を小さくすることができる。
【符号の説明】
【００７５】
１  発光ユニット
３０  駆動環
３０ａ  第１のストロボカム
３０ｂ  第２のストロボカム
３０ｃ  第３のストロボカム
３０ａｂ  第１の傾斜面
３０ｂａ  第２の傾斜面
３０ａｃ  第３の傾斜面
３０ｃａ  第４の傾斜面
３０ｄ  第１の連結カム
３０ｅ  第２の連結カム
３７  スライダ
３９  ストロボフォロワー
４４  駆動源
【図１】
0005566123.tif 000002
【図２】
0005566123.tif 000003
【図３】
0005566123.tif 000004
【図４】
0005566123.tif 000005
【図５】
0005566123.tif 000006
【図６】
0005566123.tif 000007
【図７】
0005566123.tif 000008
【図８】
0005566123.tif 000009
【図９】
0005566123.tif 000010
【図１０】
0005566123.tif 000011